(57)【要約】【課題】１週間以内の短期間の予定の管理作業が容易で、しかも携帯性に優れたスケジュール帳を提供する。【解決手段】長さ方向に間隔をあけて設けた複数本の平行な折目線２を挟んで折り畳み可能に連設した複数の枚葉紙３からなり、時刻毎に複数の予定表示欄６に区画した１日分の予定表８を、ページ毎に印刷した複数ページのスケジュール帳本体４と、スケジュール帳本体４の特定ページに色毎に重ね合わせて併設した書き込み可能な複数色の付箋５であって、予定表示欄６内に着脱自在に貼着可能な付箋５とを備えた。【選択図】図１
2011051145.tif 000002
【特許請求の範囲】
【請求項１】
長さ方向に間隔をあけて設けた複数本の平行な折目線を挟んで折り畳み可能に連設した複数の枚葉紙からなり、時刻毎に複数の予定表示欄に区画した１日分の予定表を、ページ毎に印刷した複数ページのスケジュール帳本体と、
前記スケジュール帳本体の特定ページに色毎に重ね合わせて併設した書き込み可能な複数色の付箋であって、前記予定表示欄内に着脱自在に貼着可能な付箋と、
を備えたスケジュール帳。
【請求項２】
前記スケジュール帳本体が、長さ方向に間隔をあけて設けた平行な３本の折目線を挟んで折り畳み可能に連設した４枚の枚葉紙からなる請求項１記載のスケジュール帳。
【請求項３】
前記スケジュール帳本体の内側４ページのうちの、３つのページに３日分の予定表を印刷し、残り１つのページに複数枚の付箋を色毎に重ね合わせて着脱自在に貼着した請求項２記載のスケジュール帳。
【請求項４】
前記スケジュール帳本体の外側４ページのうちの、中央の２ページにスケジュール帳の表表紙と裏表紙を印刷し、両側の２ページのうちの１ページを緊急事項や重要事項のための掲示欄とし、他の１ページを先の予定やその他の事項のための掲示欄とした請求項２又は３記載のスケジュール帳。
【請求項５】
前記掲示欄に紙片等を挿入保持するためのポケットを形成した請求項４記載のスケジュール帳。
【請求項６】
前記付箋として合成樹脂シートからなる付箋を用いた請求項１〜５のいずれか１項記載のスケジュール帳。
【請求項７】
前記付箋として透明或いは半透明のものを用いた請求項１〜６のいずれか１項記載のスケジュール帳。
【請求項８】
前記付箋の貼着部を付箋の全長の１／２以上に設定した請求項１〜７のいずれか１項記載のスケジュール帳。
【発明の詳細な説明】
【技術分野】
【０００１】
本発明は、１週間以内の短期間の予定を管理するのに好適に利用可能なスケジュール帳に関するものである。
【背景技術】
【０００２】
スケジュール帳として、日付に対応するページを設け、１日分の予定表を各ページに印刷し、予定表に時刻毎に区画した予定記入欄を形成し、予定の日時に対応させて予定記入欄に予定内容を記入して、予定を管理するように構成したスケジュール帳が広く実用化されている。
【０００３】
また、システム手帳として、裏面に粘着部を有する透明の付箋を複数積層させて成る付箋積層体と、この付箋積層体を貼着する少なくとも１つ以上の基板とを有する付箋台紙を設け、重要な予定や緊急性を要する予定などについては、付箋台紙の付箋を予定表に貼着したり、該付箋に予定を記入して予定表に貼着したりできるように構成したものも提案されている（例えば、特許文献１参照。）。
【先行技術文献】
【特許文献】
【０００４】
【特許文献１】特開２００６−１８８０３１（引用文献１）
【発明の概要】
【発明が解決しようとする課題】
【０００５】
前記特許文献１記載のシステム手帳では、重要な予定や緊急性を要する予定などについては、付箋に予定を記入して貼着する場合もあるが、基本的にはシステム手帳の予定表に直接的に予定を記入するように構成しているので、付箋を用いることのメリット、即ち予定の設定や消去、変更や整理などの予定の管理作業が容易に行なえるというメリットを十分に得ることができないという問題がある。一方、全ての予定を付箋に記入して、それをスケジュール帳やシステム手帳の予定表に貼着することも考えられるが、通常のスケジュール帳やシステム手帳は、例えば年単位の長期間にわたる予定を管理するものなので、全ての予定を付箋に記入する場合には、多くの付箋が必要となり、スケジュール帳やシステム手帳が嵩高くなったり、高価になったりするという問題がある。
【０００６】
本発明の目的は、１週間以内の短期間の予定の管理作業が容易で、しかも携帯性に優れたスケジュール帳を提供することである。
【課題を解決するための手段】
【０００７】
本発明に係るスケジュール帳は、長さ方向に間隔をあけて設けた複数本の平行な折目線を挟んで折り畳み可能に連設した複数の枚葉紙からなり、時刻毎に複数の予定表示欄に区画した１日分の予定表を、ページ毎に印刷した複数ページのスケジュール帳本体と、前記スケジュール帳本体の特定ページに色毎に重ね合わせて併設した書き込み可能な複数色の付箋であって、前記予定表示欄内に着脱自在に貼着可能な付箋とを備えたものである。
【０００８】
このスケジュール帳では、所望の色に着色された付箋に予定を記入し、これをスケジュール帳本体に印刷した予定表に貼着して予定を管理することになる。このように、付箋を用いて予定を管理するので、付箋の色によって分かりやすく予定を分類したり、整理したりでき、しかも付箋を剥がしたり貼る位置を変更したりするだけで、予定の消去や移動などの作業が容易に行なえる。しかも、連設した複数枚の枚葉紙でスケジュール帳本体を構成しているので、例えば１週間以内の比較的短期間の予定しか管理できないが、スケジュール帳本体を小型軽量に構成できるとともに、付箋の枚数を少なくでき、スケジュール帳の製作コストを安くできるとともに小型軽量に構成でき、携帯性を向上できる。ただし、予定表に直接的に日付や予定を記入できるように構成することも可能である。
【０００９】
ここで、前記スケジュール帳本体が、長さ方向に間隔をあけて設けた平行な３本の折目線を挟んで折り畳み可能に連設した４枚の枚葉紙からなることが好ましい実施の形態である。このように構成すると、スケジュール帳本体を４枚の枚葉紙で構成できるので、スケジュール帳本体の製作コストを安くできる。
【００１０】
前記スケジュール帳本体の内側４ページのうちの、３つのページに３日分の予定表を印刷し、残り１つのページに複数枚の付箋を色毎に重ね合わせて着脱自在に貼着することも好ましい実施の形態である。この場合には、３日分の予定表を印刷したページと、付箋を積層状に貼着したページとが展開したスケジュール帳本体の同じ面側に配置されるので、スケジュール帳本体を展開した状態で、所望の付箋を取り外して、該付箋に予定を記入し、これを予定表に貼着するという、一連の予定の設定作業を容易に且つ円滑に行なうことができる。
【００１１】
前記スケジュール帳本体の外側４ページのうちの、中央の２ページにスケジュール帳の表表紙と裏表紙を印刷し、両側の２ページのうちの１ページを緊急事項や重要事項のための掲示欄とし、他の１ページを先の予定やその他の事項のための掲示欄とすることも好ましい実施の形態である。この場合には、中央部の折目線を中心にスケジュール帳本体を展開するだけで、スケジュール帳本体全体を大きく展開させることなく、緊急事項や重要事項のための掲示欄を容易に確認することができる。
【００１２】
前記掲示欄に紙片等を挿入保持するためのポケットを形成することも好ましい実施の形態である。この場合には、掲示欄に設けたポケットにメモ用紙などを挿入保持させることができる。
【００１３】
前記付箋として合成樹脂シートからなる付箋を用いることも好ましい実施の形態である。紙製の付箋を用いることも可能であるが、紙製の付箋は折れ曲がり易く、予定表に貼り付けた状態で、見づらくなることがあるので、合成樹脂シートからなる付箋を用いることが好ましい。
【００１４】
前記付箋として透明或いは半透明のものを用いることも好ましい実施の形態である。この場合には、予定表に貼着した付箋の下側の文字や絵柄などを透視できるので、付箋を貼ることによりその下側の予定が見えなくなるという不具合を防止できる。
【００１５】
前記付箋の貼着部を付箋の全長の１／２以上に設定することが好ましい実施の形態である。貼着部の長さは短すぎると、付箋が脱落し易くなったり、付箋が折れ曲がり易くなったりするので、付箋の全長の１／２以上に設定することが好ましい。
【発明の効果】
【００１６】
本発明に係るスケジュール帳によれば、付箋を用いて予定を管理するので、付箋の色によって分かりやすく予定を分類したり、整理したりでき、しかも付箋を剥がしたり貼る位置を変更したりするだけで、予定の消去や移動などの作業が容易に行なえる。しかも、連設した複数枚の枚葉紙でスケジュール帳本体を構成しているので、例えば１週間以内の比較的短期間の予定しか管理できないが、スケジュール帳本体を小型軽量に構成できるとともに、付箋の枚数を少なくでき、スケジュール帳の製作コストを安くできるとともに小型軽量に構成でき、携帯性を向上できる。
【図面の簡単な説明】
【００１７】
【図１】スケジュール帳の展開状態での斜視図
【図２】スケジュール帳の展開状態での正面図
【図３】スケジュール帳の展開状態での背面図
【図４】スケジュール帳の折り畳み方法の説明図
【発明を実施するための形態】
【００１８】
以下、本発明を実施するための形態について、図面を参照しながら説明する。
図１〜図３に示すように、スケジュール帳１は、長さ方向に間隔をあけて設けた複数本の平行な折目線２を挟んで折り畳み可能に連設した複数枚の枚葉紙３からなるスケジュール帳本体４と、スケジュール帳本体４の特定ページに色毎に重ね合わせて併設した書き込み可能な複数色の付箋５とを備え、スケジュール帳本体４に、時刻毎に複数の予定表示欄６に罫線７で区画した１日分の予定表８をページ毎に印刷し、予定内容を記入した付箋５を予定表示欄６内に貼着することで、予定を管理可能となしたものである。
【００１９】
スケジュール帳本体４は、細長いシート状の紙片で構成され、長さ方向に間隔をあけて設けた３本の平行な折目線２に沿って折り曲げることで、図２に示す展開姿勢と、図４（ｂ）に示す収納姿勢とに姿勢切換可能に構成されている。付箋５の配設側の２本の折目線２は、積層状に貼着される付箋５の厚さ分の隙間を確保するために２本の折目線２ａ、２ｂで構成されている。なお、本実施の形態では、３本の折目線２を挟んで折り畳み可能に連設した４枚の枚葉紙３でスケジュール帳本体４を構成したが、折目線２の本数や連設する枚葉紙３の枚数は任意に設定することができる。
【００２０】
図１、図２に示すように、スケジュール帳本体４の内側４ページのうちの連なって設けられる３つのページには、１日分の予定表８がそれぞれ印刷され、このスケジュール帳本体４では計３日分の予定を管理できるように構成されている。スケジュール帳本体４の内側４ページのうちの一側の１つのページには、合成樹脂フィルムからなる台紙９が貼着固定され、この台紙９には色毎に複数枚の付箋５を積層状に貼着してなる複数の付箋積層体１０が上下に僅かな間隔をあけて併設されている。なお、この台紙９は、スケジュール帳本体４に対する付箋５の密着性を高めて、付箋積層体１０の脱落を防止するために設けることが好ましいが、省略することも可能である。
【００２１】
予定表８の左側には予定日の午前８時から午後８時までの時刻が１時間毎に印刷した時刻表示部１１が設けられるとともに、１０分毎の目盛り１２が印刷され、更に１時間毎に罫線７が印刷されて、罫線７で区画された予定表示欄６が形成されている。なお、一般的な活動時間としての午前８時から午後８時までの時刻を時刻表示部１１に印刷したが、それ以外の時間帯を時刻表示部１１に印刷することもできる。予定表８の上部には予定日を記入するための予定日記入欄１３が形成されている。この予定日記入欄１３には、予定日の日付や曜日などを記入して予定日を特定することになるが、予定日の初日を基準に「今日」「明日」「明後日」と記入して予定日を特定することもできる。ただし、予定日記入欄１３に予め「今日」「明日」「明後日」と印刷しておくことも可能であし、「今日」「明日」「明後日」と印刷した付箋を設け、これを予定記入欄１３に貼着してもよい。
【００２２】
図３に示すように、スケジュール帳本体４の外側４ページのうちの、中央の２ページにはスケジュール帳１の表表紙１４と裏表紙１５が形成され、両側の２ページのうちの１ページには緊急事項や重要事項のための掲示欄１６が、また他の１ページには、先の予定やその他の事項のための掲示欄１７が形成されている。掲示欄１６，１７の下部には合成樹脂フィルムからなるポケット構成部材１８が貼着されて紙片等を挿入保持するためのポケット１９が形成されている。ポケット構成部材１８は、図３に示すようなハート型以外の形状に形成したものを採用することもできるし、省略することもできる。
【００２３】
付箋５としては、紙製のものを用いることもできるが、紙製の付箋５は折れ曲がり易いので、合成樹脂フィルムからなるものを用いることが好ましい。また、不透明な付箋５を用いることもできるが、付箋５の下側の文字や図形が隠れてしまうので、透明或いは半透明に構成した付箋５を採用することが好ましい。付箋５としては、無地のものを採用することもできるし、任意の色に着色したものを採用することができる。また、付箋５を積層状に貼着した付箋積層体１０の併設個数は、任意に設定することが可能である。また、全ての付箋積層体１０を異なる色に設定することもできるし、同色の付箋積層体１０を複数設けることもできる。更に、使用頻度などによって、同色の付箋５を貼着した付箋積層体１０の併設個数を多く設定することも可能である。
【００２４】
付箋５の幅は、予定表８の予定表示欄６の幅と同幅或いは多少幅狭に設定され、付箋５の長さは、予定表示欄６の長さの１／２或いはそれよりも多少短尺に構成されている。ただし、付箋５として、予定表示欄６の幅の１／２や１／３の幅、あるいは整数倍の幅のものを設けることも可能である。例えば、予定表示欄６の２倍の幅の付箋５を設けて、１枚の付箋５により２時間分の予定を設定できるように構成することも可能である。また、付箋５として、予定表示欄６と同じ長さのものを設けることも可能である。
【００２５】
付箋５の表面側には筆記用具で文字や記号を記入できるように周知の表面処理がなされており、裏面側の一側部には予定表８に対して着脱自在な貼着部２０が形成されている。貼着部２０の形成範囲は、狭すぎると、十分な貼着力が得られず、付箋５の脱落が懸念され、広すぎると付箋５の着脱操作性が悪くなるので、付箋５の全長の４０〜８０％の長さ範囲に形成することが好ましい。この付箋５は、貼着部２０以外の部分を指で摘んで、剥離できるように構成されている。
【００２６】
このスケジュール帳１では、予定表８の上部の予定日記入欄１３に、予定日を特定するため日付や曜日や「今日」「明日」「明後日」などを記入するとともに、所望の色に着色された付箋５に予定内容を記入し、これを予定表８における対応する時刻の予定表示欄６に貼着して、予定を管理することになる。但し、必要に応じて、予定表８の予定表示欄６に直接的に予定内容を記入することも可能である。
【００２７】
そして、３日分の予定表８を作成した後、１日〜３日が経過したときに、経過した予定日を消しゴムで消して、次の予定日を予定日記入欄１３に記入するとともに、予定表８における不要な付箋５を剥がして、新たな予定を記入した付箋５を作成して、該付箋５を予定時刻に対応する予定表示欄６に貼着することになる。こうして、３日分の予定内容を順次更新しながら、該３日分の予定を管理することになる。ただし、予定日記入欄１３に「今日」「明日」「明後日」のように記入する場合には、予定日記入欄１３の記載を変更しないで、「明日」の予定を「今日」に移動させ、「明後日」の予定を「明日」に、付箋の貼着位置を順次移動させて予定を管理することもできる。また、「今日」「明日」「明後日」と印刷した付箋を用いる場合には、該付箋の位置を移動させて予定を管理することになる。
【００２８】
このように、このスケジュール帳１では、付箋５を用いて予定を管理するので、付箋５の色によって分かりやすく予定を分類したり、整理したりでき、しかも付箋５を剥がしたり貼る位置を変更したりするだけで、予定の消去や移動などの作業が容易に行なえる。しかも、連設した複数枚の枚葉紙３でスケジュール帳本体４を構成しているので、例えば１週間以内の比較的短期間の予定しか管理できないが、スケジュール帳本体４を小型軽量に構成できるとともに、付箋５の枚数を少なくでき、スケジュール帳１の製作コストを安くできるとともに小型軽量に構成でき、携帯性を向上できる。ただし、予定表８に直接的に日付や予定を記入できるように構成することも可能である。
【００２９】
また、スケジュール帳本体４の外側４ページのうちの、中央の２ページにスケジュール帳１の表表紙と裏表紙を印刷し、両側の２ページのうちの１ページを緊急事項や重要事項のための掲示欄とし、他の１ページを先の予定やその他の事項のための掲示欄としているので、図４（ａ）に示すように、中央部の折目線２を中心にスケジュール帳本体４を展開するだけで、スケジュール帳本体４全体を大きく展開させることなく、緊急事項や重要事項のための掲示欄１６、１７を容易に確認することができる。更に、掲示欄１６、１７に紙片等を挿入保持するためのポケット１９を形成しているので、メモ用紙などを挿入保持させることができる。
【符号の説明】
【００３０】
１      スケジュール帳      ２      折目線
２ａ    折目線              ２ｂ    折目線
３      枚葉紙              ４      スケジュール帳本体
５      付箋                ６      予定表示欄
７      罫線                ８      予定表
９      台紙                １０    付箋積層体
１１    時刻表示部          １２    目盛り
１３    予定日記入欄        １４    表表紙
１５    裏表紙              １６    掲示欄
１７    掲示欄              １８    ポケット構成部材
１９    ポケット            ２０    貼着部
【図１】
2011051145.tif 000003
【図２】
2011051145.tif 000004
【図３】
2011051145.tif 000005
【図４】
2011051145.tif 000006